【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
物品をキャリアに接続するための接続装置であって、
前記接続装置は、
前記接続装置を前記物品に固定するための固定構成と、
前記接続装置を前記キャリアに取り付けるための取り付け構成とを備え、
前記取り付け構成は、前記キャリアを係合するための第１の突出構造と、前記キャリアを通して挿入するための第２の突出構造と、前記第１の突出構造と前記固定構成との間に伸長する架橋要素とを備え、
前記第２の突出構造が前記キャリアを通して挿入されるとき、前記キャリアの一部分は、前記第１および第２の突出構造の間に収容されることができ、それにより、前記接続装置を前記キャリアに取り付けるものであり、
前記架橋要素は、前記固定構成を前記取り付け構成上に固定的に据え付けており、
前記取り付け構成は、前記第１の突出構造及び前記第２の突出構造の間に伸長するスペーサ部と前記第１の突出構造及び第２の突出構造の間に規定された間隙をさらに含み、
前記第２の突出構造が前記キャリアを通して挿入される際に、前記取り付け構成を取り付け位置に回転させると、前記キャリアの一部分が、前記第１の突出構造と前記第２の突出構造との間に収容され、
前記スペーサ部は、前記取り付け構成が前記取り付け位置にあるとき、前記取り付け構成の一方向への回転を防止するための停止構造を有し、前記取り付け構成が前記一方向に回転するときに、前記停止構造は、前記キャリア又は中間据え付けクリップを係合するように構成されている前記スペーサ部の領域を備える、接続装置。
【請求項２】
前記第１の突出構造は、前記キャリアの前記一部分の第１の面を係合し、前記第２の突出構造は、前記キャリアの前記一部分の対向する第２の面を係合する、請求項１に記載の接続装置。
【請求項３】
前記取り付け構成は、前記第１および第２の突出構造を通して伸長する回転軸の周りを、前記取り付け位置に回転可能であり、それによって、前記取り付け構成が前記回転軸の周りを回転するときに、前記キャリアの一部分を第１および第２の突出構造の間に収容できる、請求項１又は２に記載の接続装置。
【請求項４】
前記架橋要素は細長いものである、請求項１から３のいずれか一項に記載の接続装置。
【請求項５】
前記架橋要素は、中央軸を有し、回転軸が前記架橋要素の前記中央軸に対してオフセットされており、前記回転軸は、前記架橋要素の前記中央軸と実質的に並行である、請求項４記載の接続装置。
【請求項６】
前記第１の突出構造は、前記架橋要素から外側に伸長し、前記第２の突出構造は、前記スペーサ部から外側に伸長する、請求項４又は５に記載の接続装置。
【請求項７】
前記第２の突出構造は、前記スペーサ部から、それに関連する対向する方向に伸長する、請求項６に記載の接続装置。
【請求項８】
前記第２の突出構造は、先端面と固定領域を有し、前記取り付け構成が前記取り付け位置に回転されるときに、前記先端面は、前記キャリアの前記一部分を横切るための前記第２の突出構造の第１の領域であり、前記取り付け構成が前記取り付け位置にあるときに、取り付け面は前記キャリアを係合する、請求項６又は７に記載の接続装置。
【請求項９】
前記間隙は、前記取り付け面においてよりも、前記先端面においてより大きく、前記先端面は、前記取り付け面に向かって先細になる表面を有する、請求項８に記載の接続装置。
【請求項１０】
前記停止構造は、前記スペーサ部の対角線上に対向する領域を備え、前記領域間の距離は、開口部の幅よりも長い、請求項１から９のいずれか一項に記載の接続装置。
【請求項１１】
前記スペーサ部は、前記キャリアまたは中間据え付けクリップに対する前記取り付け構成の回転を可能にするための曲がった縁部を有する、請求項１０に記載の接続装置。
【請求項１２】
前記スペーサ部は、実質的に直径に対向する側の曲がった縁部を有し、前記曲がった縁部間の直径距離は、前記キャリアまたは中間据え付けクリップにおける開口部の幅よりも短い、請求項１１に記載の接続装置。
【請求項１３】
前記第１の突出構造は、実質的に円形であり、架橋要素から放射状に伸長する、請求項１から１２のいずれか一項に記載の接続装置。
【請求項１４】
前記第２の突出構造は、実質的に、その長さよりも長い幅を有する長方形であってよい、請求項１から１３のいずれか一項に記載の接続装置。
【請求項１５】
請求項１に記載の接続装置とキャリアを備える接続構成であって、
前記第１の突出構造は、前記キャリアの一部分の第１の面を係合するために配置され、前記第２の突出構造は、前記キャリアの前記一部分の第２の面を係合するために配置される、接続構成。
【請求項１６】
前記キャリアは、開口部を規定する主要部を備え、
前記第２の突出構造は、前記開口部を通して挿入されるように構成され、
前記第２の突出構造が前記開口部を通して挿入されるとき、前記キャリアの前記一部分は、前記第１および第２の突出構造の間に収容されることができ、
それにより、前記接続装置を前記キャリアに取り付ける、請求項１５に記載の接続構成。
【請求項１７】
前記キャリアに取り付けられることができる、複数の接続装置を備える、請求項１５または１６に記載の接続構成。
【請求項１８】
前記キャリアは、細長い支持体を備える、請求項１５、１６または１７に記載の接続構成。
【請求項１９】
請求項１から１４のいずれか一項に記載の接続装置と、
前記接続装置を支持体上に据え付けるための中間据え付けクリップとを備え、
前記第１の突出構造は、前記中間据え付けクリップの部分の第１の面を係合するように配置され、
前記第２の突出構造は、前記中間据え付けクリップの前記部分の第２の面を係合するために配置される、接続アセンブリ。
【手続補正２】
【補正対象書類名】明細書
【補正対象項目名】００１２
【補正方法】変更
【補正の内容】
【００１２】
第２の突出構造がキャリアを通してまたは弾性可動部の間に挿入されるとき、取り付け構成を取り付け位置に回転させると、キャリアまたは中間据え付けクリップの前記部分は、接続装置の前記第１および第２の突出構造との間に収容されることができる。第２の突出構造は第１の突出構造にわたって延びてよい。
【手続補正３】
【補正対象書類名】明細書
【補正対象項目名】００８３
【補正方法】変更
【補正の内容】
【００８３】
クラッシュリブ９０は、支持体１４の細長い中央ストリップ１８の厚さの差を調節するためにするために設けられている。中央ストリップ１８は、リブ９０をクラッシュする大きな厚さを有している一方で、中央ストリップ１８は、リブ９０を係合するより小さな厚さを有している。
以下に、出願当初の特許請求の範囲に記載の事項を、そのまま、付記しておく。
［１］  物品をキャリアに接続するための接続装置において、
前記接続装置は、
前記接続装置を前記物品に固定するための固定構成と、
前記接続装置を前記キャリアに取り付けるための取り付け構成とを備え、
前記取り付け構成は、前記キャリアを係合するための第１の突出構造と前記キャリアを通して挿入するための第２の突出構造とを備え、
前記第２の突出構造が前記キャリアを通して挿入されるとき、前記キャリアの一部分は、前記第１および第２の突出構造の間に収容されることができ、それにより、前記接続装置を前記キャリアに取り付ける、接続装置。
［２］  前記第１の突出構造は、前記キャリアの前記一部分の第１の面を係合し、前記第２の突出構造は、前記キャリアの前記一部分の対向する第２の面を係合する、［１］に記載の接続装置。
［３］  前記取り付け構成は、前記第１および第２の突出構造の間に伸長するスペーサ部、前記第１および第２の突出構造の間に規定された間隙をさらに含む、［１］または［２］に記載の接続装置。
［４］  前記取り付け構成は、前記第１および第２の突出構造を通して伸長する回転軸の周りを、前記取り付け位置に回転可能であり、それによって、前記取り付け構成が前記回転軸の周りを回転するときに、前記キャリアの一部分を第１および第２の突出構造の間に収容できる、［３］に記載の接続装置。
［５］  前記取り付け構成は、前記第１の突出構造と前記固定構成との間に伸長する架橋要素を有する、［４］に記載の接続装置。
［６］  前記架橋要素は細長いものである、［５］に記載の接続装置。
［７］  前記架橋要素は、中央軸を有し、前記回転軸は、前記架橋要素の前記中央軸に対してオフセットされており、前記回転軸は、前記架橋要素の前記中央軸と実質的に並行である、［５］または［６］に記載の接続装置。
［８］  前記第１の突出構造は、前記架橋要素から外側に伸長し、前記第２の突出構造は、前記スペーサ部から外側に伸長する、［５］、［６］または［７］に記載の接続装置。
［９］  前記第２の突出構造は、前記スペーサ部から、それに関連する対向する方向に伸長する、［８］に記載の接続装置。
［１０］  前記第２の突出構造は、先端面と固定領域を有し、前記取り付け構成が前記取り付け位置に回転されるときに、前記先端面は、前記キャリアの前記一部分を横切るための前記第２の突出構造の第１の領域であり、前記取り付け構成が前記取り付け位置にあるときに、取り付け面は前記キャリアを係合する、［８］または［９］に記載の接続装置。
［１１］  前記間隙は、前記取り付け面においてよりも、前記先端面においてより大きく、前記先端面は、前記取り付け面に向かって先細になる表面を有する、［１０］に記載の接続装置。
［１２］  前記スペーサ部は、前記取り付け構成の一方向への回転を防止するための停止構造を有し、前記取り付け構成が前記方向に回転するときに、前記停止構造は、前記キャリアまたは中間据え付けクリップを係合するように構成されている前記スペーサ部の領域を備える、［３］から［１１］のうちのいずれか一項に記載の接続装置。
［１３］  前記停止構造は、前記スペーサ部の対角線上に対向する領域を備え、前記領域間の距離は、開口部の幅よりも長い、［１２］に記載の接続装置。
［１４］  前記スペーサ部は、前記キャリアまたは中間据え付けクリップに対する前記取り付け構成の回転を可能にするための曲がった縁部を有する、［１２］または［１３］に記載の接続装置。
［１５］  前記スペーサ部は、実質的に直径に対向する側の曲がった縁部を有し、前記曲がった縁部間の直径距離は、前記キャリアまたは中間据え付けクリップにおける開口部の幅よりも短い、［１４］に記載の接続装置。
［１６］  前記第１の突出構造は、実質的に円形であり、架橋要素から放射状に伸長する、［１］から［１５］のうちのいずれか一項に記載の接続装置。
［１７］  前記第２の突出構造は、実質的に、その長さよりも長い幅を有する長方形であってよい、［１］から［１６］のうちのいずれか一項に記載の接続装置。
［１８］  接続装置およびキャリアを備える接続構成において、
前記接続装置は、
前記接続装置を物品に固定するための固定構成と、
前記接続装置を前記キャリアに取り付けるための取り付け構成とを備え、
前記取り付け構成は、前記キャリアの一部分の第１の面を係合するための第１の突出構造と前記キャリアの前記一部分の第２の面を係合するための第２の突出構造とを備える、接続構成。
［１９］  前記キャリアは、開口部を規定する主要部を備え、
前記第２の突出構造は、前記開口部を通して挿入されるように構成され、
前記第２の突出構造が前記開口部を通して挿入されるとき、前記キャリアの前記一部分は、前記第１および第２の突出構造の間に収容されることができ、
それにより、前記接続装置を前記キャリアに取り付ける、［１８］に記載の接続構成。
［２０］  前記キャリアに取り付けられることができる、複数の接続装置を備える、［１８］または［１９］に記載の接続構成。
［２１］  前記キャリアは、細長い支持体を備える、［１８］、［１９］または［２０］に記載の接続構成。
［２２］  前記キャリアは、前記接続装置を支持体に据え付けるため中間据え付けクリップを備える、［１８］、［１９］または［２０］に記載の接続構成。
［２３］  ［１］に記載した接続装置を支持体に据え付けるための中間据え付けクリップにおいて、
前記中間据え付けクリップは、２つの対向する弾性可動部を備えており、
前記弾性可動部は、前記支持体との係合をもたらすように弾性的に動かせ、それにより、前記中間据え付けクリップを前記支持体に締結し、
各弾性可動部は、その上に取り付け構造を有し、
前記取り付け構造は、前記接続装置を前記中間据え付けクリップに取り付けるために、前記接続装置の取り付け構成と協働可能である、中間据え付けクリップ。
［２４］  前記第２の突出構造がキャリアを通してまたは前記弾性可動部の間に挿入されるとき、前記取り付け構成を取り付け位置に回転させると、前記キャリアまたは前記中間据え付けクリップの前記した部分は、前記接続装置の前記第１および第２の突出構造の間に収容されることができる、［２３］に記載の中間据え付けクリップ。
［２５］  各弾性可動部上の前記取り付け構造間の距離は、前記第２の突出構造の幅よりも長い、［２３］または［２４］に記載の中間据え付けクリップ。
［２６］  各弾性可動部上の前記取り付け構造間の前記距離は、前記第２の突出構造の長さよりも短い、［２５］に記載の中間据え付けクリップ。
［２７］  前記弾性可動部を含む主要部を備え、
前記主要部は、前記弾性可動部を前記支持体と係合して動くように弾性的に変形可能である、［２３］から［２６］のうちのいずれか一項に記載の中間据え付けクリップ。
［２８］  前記主要部は、前記２つの弾性可動部間に伸長する中央部を有し、両方の弾性可動部は、前記中央部から同じ方向に伸長する、［２７］に記載の中間据え付けクリップ。
［２９］  前記主要部は、実質的に「Ｕ」字形の端部プロフィールを有し、各弾性可動部は、前記中央部から伸長するリーフを備える、［２８］に記載の中間据え付けクリップ。
［３０］  各弾性可動部上の前記取り付け構造は、前記取り付け構成を前記接続装置上に係合するための内側に伸長する部材を備え、
前記内側に伸長する部材は、前記第１の突出構造を係合するための第１の表面を有する、［２３］から［２９］のうちのいずれか一項に記載の中間据え付けクリップ。
［３１］  前記第１の表面は、実質的に平らである、［３０］に記載の中間据え付けクリップ。
［３２］  前記内側に伸長する部材は、前記第２の突出構造を係合するための第２の表面を有する、［３０］または［３１］に記載の中間据え付けクリップ。
［３３］  前記第２の表面は、実質的に平らである、［３２］に記載の中間据え付けクリップ。
［３４］  前記第１および第２の表面は、前記それぞれ内側に伸長する部材の第１および第２の対向面であり、各内側に伸長する部材は、前記それぞれの弾性可動部に横に伸長する、［３２］または［３３］に記載の中間据え付けクリップ。
［３５］  それぞれの端停止は、前記内側に伸長する部材のそれぞれの一端上に設けられている、［３０］から［３４］のうちのいずれか一項に記載の中間据え付けクリップ。
［３６］  第１の内側に伸長する部材上の前記端停止は、第２の内側に伸長する部材上の前記端停止への前記その対向端上にあり、それにより、前記取り付け構成が前記取り付け位置にあるときに、前記接続装置の前記第２の突出構造は、前記端停止を係合できる、［３５］に記載の中間据え付けクリップ。
［３７］  前記内側に伸長する部材は、互いに実質的に対向するように構成され、それにより、前記取り付け構成の回転は、前記第１および第２の突出構造が前記取り付け構造を係合するように動く、［３０］から［３６］のうちのいずれか一項に記載の中間据え付けクリップ。
［３８］  それぞれの開口部は、各内側に伸長する部材に隣接する第１および第２の弾性可動部のそれぞれによって規定され、それにより、各開口部は、前記第１の突出構造を収容する位置に規定される、［３０］から［３７］のうちのいずれか一項に記載の中間据え付けクリップ。
［３９］  前記中間据え付けクリップは、前記中間据え付けクリップを前記支持体に締結するための締結手段をさらに含み、
前記締結手段は、前記弾性可動部上に設けられる、［３０］から［３８］のうちのいずれか一項に記載の中間据え付けクリップ。
［４０］  前記締結手段は、複数の締結要素を備え、これは、前記それぞれの弾性可動部から外側に伸長する、［３９］に記載の中間据え付けクリップ。
［４１］  各弾性可動部は、中央部から空間を空けた先端自由縁、および先端縁と前記中央部との間に伸長する２つの対向側縁を有する、［４０］に記載の中間据え付けクリップ。
［４２］  前記締結手段は、各弾性可動部上に設けられている、［３９］、［４０］または［４１］に記載の中間据え付けクリップ。
［４３］  各弾性可動部上の前記締結手段は、内側締結要素と外側締結要素とを備え、前記外側締結要素は、前記弾性可動部の先端縁に隣接して設けられ、前記内側締結要素は、前記外側締結要素と中央部との間に設けられる、［４２］に記載の中間据え付けクリップ。
［４４］  前記締結手段は、前記弾性可動部のそれぞれの上に前記内側および外側締結要素の２つのセットを備え、各セットは前記弾性可動部のそれぞれの側縁上に設けられ、それにより、前記中間据え付けクリップが前記支持体に取り付けられるとき、前記支持体の内側に伸長する部分は、前記内側および外側締結要素の間に収容される、［４３］に記載の中間据え付けクリップ。
［４５］  ［１］から［１７］のうちのいずれか一項に記載した接続装置と、
前記接続装置を支持体上に据え付けるための中間据え付けクリップとを備え、
前記接続装置は、
前記接続装置を物品に固定するための固定構成と、
前記接続装置を前記中間据え付けクリップに取り付けるための取り付け構成とを備え、
前記取り付け構成は、
前記中間据え付けクリップの部分の第１の面を係合するための第１の突出構造と、
前記中間据え付けクリップの前記部分の第２の面を係合するための第２の突出構造とを備える、接続アセンブリ。
［４６］  前記中間据え付けクリップは、［２３］から［４４］のうちのいずれか一項に記載されているものである、［４５］に記載の接続アセンブリ。
［４７］  添付の図面を参照して、実質的にここで説明したような接続装置。
［４８］  図２から４、および、６から１４を参照して、実質的にここで説明したような接続構成。
［４９］  添付の図面の図６から１４を参照して、実質的にここで説明したような中間据え付けクリップ。
［５０］  添付の図面の図６から１４を参照して、実質的にここで説明したような接続アセンブリ。